(57)【特許請求の範囲】
【請求項１】
外壁部から延びた庇部が屋内空間の床部に横並びに設けられた建物であって、
前記床部は、前記外壁部を貫通して前記庇部側に突出した状態で設けられた複数の床梁を有しており、
前記庇部は、
隣り合う前記床梁の間に設けられた下地材としての庇横材を有しており、
前記庇横材は、当該庇横材の上面が前記床梁の上面よりも低い位置に配置されるように設けられていることを特徴とする建物。
【請求項２】
前記庇部は、前記庇横材の上面に沿って延びた防水層を有しており、
前記防水層は、前記床梁の側面に沿って立ち上げられていることを特徴とする請求項１に記載の建物。
【請求項３】
前記庇部は、前記外壁部に形成された玄関口の上方に配置されていることを特徴とする請求項１又は２に記載の建物。
【請求項４】
複数の住戸が横並びに設けられた集合住宅に適用され、
前記庇部は、前記床梁が隣り合う前記住戸のそれぞれに設けられていることで、これら住戸に掛け渡された状態で設けられていることを特徴とする請求項１乃至３のいずれか１項に記載の建物。
【請求項５】
前記床部は、根太部材及び該根太部材の上に設けられた床面材を有する床パネルが横並びに複数設けられていることで形成されており、
前記複数の床パネルには、前記根太部材として前記床梁を有する梁有り床パネルと、前記床梁を有していない梁無し床パネルとが含まれており、
前記梁有り床パネルにおいては、前記床面材が前記床梁の上に設けられていることを特徴とする請求項１乃至４のいずれか１項に記載の建物。
【請求項６】
前記床パネルにおいては、各根太部材の上面が前記床面材に沿って並べられていることを特徴とする請求項５に記載の建物。
【請求項７】
前記庇部は、前記庇横材及び該庇横材の上に設けられた庇面材を有する庇パネルが前記外壁部を挟んで前記床パネルに横並びに設けられていることで形成されており、
前記外壁部は、前記庇パネルと前記床パネルとの間に設けられた断熱部材を有しており、
前記庇パネルは、前記断熱部材を介して前記床パネルに固定されていることを特徴とする請求項５又は６に記載の建物。
【請求項８】
前記床部は、隣り合う前記床梁の間において、前記外壁部を挟んで前記庇横材の屋内側に設けられた下地材としての床根太を有していることを特徴とする請求項１乃至７のいずれか１項に記載の建物。
【請求項９】
前記外壁部の屋外側に設けられ、前記複数の床梁の庇側先端部を連結している屋外梁を備え、
前記庇横材は、当該庇横材の上面が前記屋外梁の上面よりも低い位置に配置されるように設けられていることを特徴とする請求項１乃至８のいずれか１項に記載の建物。
【請求項１０】
外壁部から延びた庇部が屋内空間の床部に横並びに設けられた建物であって、
前記床部は、床面材及び該床面材を支持した根太部材を有しており、
前記庇部は、屋根面材及び該屋根面材を支持した庇横材を有しており、
前記外壁部は、前記根太部材と前記庇横材との間に挟み込まれた外壁下地材を有しており、
前記庇横材は、当該庇横材の上面が前記根太部材の上面よりも低い位置に配置されるように設けられていることを特徴とする建物。
【発明の詳細な説明】
【技術分野】
【０００１】
本発明は、庇部を備えた建物に関するものである。
【背景技術】
【０００２】
住宅等の建物においては、玄関口等の上方に庇部が設けられていることがある。例えば、二階建ての建物において、二階部分の床部を形成する床パネルが外壁を貫通して屋外側に突出した状態で設けられており、この突出部分により庇部が形成された構成がある（例えば特許文献１参照）。この構成の庇部においては、その上面が下方に凹むことで凹溝が形成され、この凹溝には樋が接続されている。庇部は、床パネルの上に設けられた屋根面材としての傾斜板部と、傾斜板部の下端部から下方に向けて延びた一対の溝壁部とを有しており、一対の溝壁部により凹溝が形成されている。この場合、傾斜板部の上面に付着した雨水等は、傾斜板部の上面に沿って凹溝内に流れ込み、この凹溝から樋を通じて外部に排出されることになる。
【先行技術文献】
【特許文献】
【０００３】
【特許文献１】特開２００９−９１７５３号公報
【発明の概要】
【発明が解決しようとする課題】
【０００４】
しかしながら、床パネルを屋外側に突出させることで庇部が形成された構成では、床パネルの上に傾斜板部や溝壁部を設置することで、庇部の上面に溜まった水が排出される構成を実現することはできるが、床パネルの上に傾斜板部や溝壁部を設置した分だけ庇部が分厚くなり、庇部の意匠性が低下することが懸念される。かといって、庇部の上に傾斜板部や溝壁部を設置しないのでは、雨水等が庇部の周縁部から流れ落ちることになってしまい、雨除けとしての庇部の機能が低下することが懸念される。
【０００５】
本発明は、上記事情に鑑みてなされたものであり、建物において庇部を好適に構築することを主たる目的とするものである。
【課題を解決するための手段】
【０００６】
以下、上記課題を解決するのに有効な手段等につき、必要に応じて作用、効果等を示しつつ説明する。なお以下においては、理解の容易のため、発明の実施の形態において対応する構成を括弧書き等で適宜示すが、この括弧書き等で示した具体的構成に限定されるものではない。
【０００７】
第１の発明の建物は、外壁部（外壁３１）から延びた庇部（庇部３３）が屋内空間の床部（二階床部１５ａ）に横並びに設けられた建物（建物１０）であって、前記床部は、前記外壁部を貫通して前記庇部側に突出した状態で設けられた複数の床梁（床梁６１）を有しており、前記庇部は、隣り合う前記床梁の間に設けられた下地材としての庇横材（連結根太７１ｂ）を有しており、前記庇横材は、当該庇横材の上面が前記床梁の上面よりも低い位置に配置されるように設けられていることを特徴とする。
【０００８】
第１の発明によれば、庇部が、建物本体から持ち出された床梁を含んで構成されているため、建物本体に対する庇部の固定強度を十分に確保することができる。しかも、庇部においては、床梁が庇横材よりも上方に突出した状態になっているため、その突出部分を利用してパラペットを形成することができる。この場合、パラペットを庇部の屋根面よりも上方に突出させるための専用部材を床梁の上に設置せずに済むため、専用部材の分だけ庇部の周縁部の高さ寸法が大きくなるということがない。このため、庇部の幅方向において床梁を乗り越えて雨水等が流れ落ちるということをパラペット（床梁の突出部分）により抑制した上で、庇部の周縁部がパラペットの分だけ分厚くなるということを回避できる。つまり、雨除けとしての庇部の機能を確保した上で、パラペットの存在によって庇部の意匠性が低下するということを抑制できる。
【０００９】
以上のように、建物において庇部を好適に設置することができる。
【００１０】
第２の発明では、第１の発明において、前記庇部は、前記庇横材の上面に沿って延びた防水層（防水シート８８）を有しており、前記防水層は、前記床梁の側面に沿って立ち上げられている。
【００１１】
第２の発明によれば、庇部において床梁を利用してパラペットが形成された場合に、パラペットの防水層を床梁に対して固定することができる。このため、パラペットの防水性を適正に確保することができる。
【００１２】
第３の発明では、第１又は第２の発明において、前記庇部は、前記外壁部に形成された玄関口（玄関口３２）の上方に配置されている。
【００１３】
第３の発明によれば、パラペット付きの庇部を玄関口の上方に配置することが可能になるため、玄関口から屋内空間に出入りする人が庇部の周縁部から流れ落ちた雨水等により濡れるということを抑制できる。しかも、パラペット付きの庇部の周縁部が分厚くならない構成が実現されているため、玄関口の周辺において建物の意匠性が庇部により低下するということを抑制できる。
【００１４】
第４の発明では、第１乃至第３のいずれかの発明において、複数の住戸（住戸２１）が横並びに設けられた集合住宅に適用され、前記庇部は、前記床梁が隣り合う前記住戸のそれぞれに設けられていることで、これら住戸に掛け渡された状態で設けられている。
【００１５】
第４の発明のように、集合住宅において複数の住戸に掛け渡されることで庇部が大型化した構成においては、床梁を利用して庇部の周縁部の高さ寸法が極力小さくなるようにすることで、庇部の意匠性が低下することを抑制できる。また、大型化した庇部においては、その上面に溜まる雨水等の量も多くなると想定される。このため、この庇部にパラペットが形成されていることで、庇部の周縁部からの水が流下を規制するというパラペットの機能を効果的に利用することになる。
【００１６】
第５の発明では、第１乃至第４のいずれかの発明において、前記床部は、根太部材（端根太６３ａ、連結根太６３ｂ）及び該根太部材の上に設けられた床面材（床面材３８）を有する床パネル（床パネル６２）が横並びに複数設けられていることで形成されており、前記複数の床パネルには、前記根太部材として前記床梁を有する梁有り床パネル（第１床パネル６２Ａ）と、前記床梁を有していない梁無し床パネル（第２床パネル６２Ｂ）とが含まれており、前記梁有り床パネルにおいては、前記床面材が前記床梁の上に設けられている。
【００１７】
第５の発明によれば、床梁が梁有り床パネルに含まれているため、床部を構築するために床パネルを設置することが床梁を設置することにもなる。このため、床梁を設置するために特殊な作業を行う必要がない。しかも、梁有り床パネルは、床梁を有していることに起因して梁無し床パネルとは異なる形状になっているため、床パネルの設置作業を行う際に梁有り床パネルの設置位置を間違えるということを抑制できる。したがって、床梁を持ち出し梁を利用して庇部を構築する際の作業負担を低減できる。
【００１８】
第６の発明では、第５の発明において、前記床パネルにおいては、各根太部材の上面が前記床面材に沿って並べられている。
【００１９】
第６の発明によれば、床部においては、床梁を含んで各根太部材の上面の高さ位置を揃えることができるため、庇部において屋根面からのパラペットの立ち上がり寸法を、床部の床面と庇部の屋根面との間の段差の高さ寸法に合わせることができる。このため、屋内空間の床面の高さ位置に合わせて、パラペットの立ち上がり寸法を適正に設定することができる。
【００２０】
第７の発明では、第５又は第６の発明において、前記庇部は、前記庇横材及び該庇横材の上に設けられた庇面材（庇面材７２）を有する庇パネル（庇パネル６５）が前記外壁部を挟んで前記床パネルに横並びに設けられていることで形成されており、前記外壁部は、前記庇パネルと前記床パネルとの間に設けられた断熱部材（床側断熱部４６ｂ）を有しており、前記庇パネルは、前記断熱部材を介して前記床パネルに固定されている。
【００２１】
第７の発明によれば、庇部の庇パネルと床パネルとの間に断熱部材が設けられているため、建物の外周面に沿って延びる断熱層を庇部よりも屋内側に形成することができる。しかも、庇パネルが床パネルに対して固定されることで、断熱部材が床パネルに対して固定されているため、庇パネル及び断熱部材を設置する際の作業負担を低減できる。
【００２２】
さらに、庇パネルを床梁に対して固定することで、複数の庇横材や庇面材を床梁に対してまとめて固定することが可能になる。このため、庇部を構築する際の作業負担を低減できる。
【００２３】
第８の発明では、第１乃至第７のいずれかの発明において、前記床部は、隣り合う前記床梁の間において、前記外壁部を挟んで前記庇横材の屋内側に設けられた下地材としての床根太（第２床パネル６２Ｂの端根太６３ａ及び連結根太６３ｂ）を有している。
【００２４】
第８の発明によれば、床梁が外壁部を屋内側に貫通している一方で、床根太と庇横材とは外壁部の屋内側と屋外側とに互いに独立した状態で設けられているため、床部と庇部との間において断熱層を形成しやすくなっている。このため、床部と庇部との間において外壁部の断熱性が低下することを抑制できる。
【００２５】
第９の発明では、第１乃至第８のいずれかの発明において、前記外壁部の屋外側に設けられ、前記複数の床梁の庇側先端部を連結している屋外梁（屋外梁６６）を備え、前記庇横材は、当該庇横材の上面が前記屋外梁の上面よりも低い位置に配置されるように設けられている。
【００２６】
第９の発明によれば、庇部が床梁に加えて屋外梁を有しているため、これら床梁及び屋外梁を利用してパラペットを形成することができる。この場合、庇部の屋根面を床梁、屋外梁及び外壁により四方から囲むことができるため、屋根面に溜まった雨水等が庇部の周縁部から下方に流れ落ちるということを適正に抑制できる。
【００２７】
第１０の発明の建物は、外壁部（外壁３１）から延びた庇部（庇部３３）が屋内空間の床部（二階床部１５ａ）に横並びに設けられた建物（建物１０）であって、前記床部は、床面材（床面材３８）及び該床面材を支持した根太部材（端根太６３ａ及び連結根太６３ｂ）を有しており、前記庇部は、屋根面材（防水下地板８７及び防水シート８８）及び該屋根面材を支持した庇横材（連結根太７１ｂ）を有しており、前記外壁部は、前記根太部材と前記庇横材との間に挟み込まれた外壁下地材（床側断熱部４６ｂ）を有しており、前記庇横材は、当該庇横材の上面が前記根太部材の上面よりも低い位置に配置されるように設けられている。
【００２８】
第１０の発明によれば、床部と庇部との間において外壁下地材により断熱層を形成することが可能になっているため、外壁部の断熱性が庇部の存在によって低下するということを抑制できる。しかも、庇部の庇横材と床部の根太部材との間には段差が形成されているため、庇部においては、その段差を利用して防水シート等の屋根面材を立ち上げることができる。このため、庇部を床部よりも低い位置に配置しなくても、庇部の屋根面に溜まった雨水等が屋内空間側に流れ込むということを抑制できる。
【００２９】
以上のように、建物において庇部を好適に設置することができる。
【図面の簡単な説明】
【００３０】
【図１】建物の概略側面図。
【図２】建物の概略平面図であり、（ａ）に一階部分を示し、（ｂ）に二階部分を示す。
【図３】図２（ｂ）のＡ−Ａ線断面図。
【図４】（ａ）が図２（ｂ）のＢ−Ｂ線断面図、（ｂ）が図２（ｂ）のＣ−Ｃ線断面図。
【図５】床パネル及び庇パネルの配置を示す概略図であり、（ａ）に二階部分全体の図を示し、（ｂ）に庇部分周辺の分解図を示す。
【図６】床パネル及び庇パネルの構成を示す平面図。
【図７】庇部周辺の内部構造を示す斜視図。
【発明を実施するための形態】
【００３１】
以下、本発明を具体化した一実施形態について図面を参照しつつ説明する。本実施形態では、本発明の建物を、枠組壁工法により構築された二階建てのスチールハウスとして具体化している。図１は建物１０の概略側面図、図２は建物１０の概略平面図である。なお、図２においては、（ａ）に一階部分１４を示し、（ｂ）に二階部分１５を示す。
【００３２】
図１に示すように、住宅等の建物１０は、基礎１１の上に設けられた建物本体１２と、建物本体１２の上に設けられた屋根１３とを有している。建物本体１２は、下階部としての一階部分１４と、上階部としての二階部分１５とを有している。屋根１３は、陸屋根（フラットルーフ）になっている。なお、屋根１３は、切妻屋根等の傾斜屋根とされていてもよい。
【００３３】
建物１０は、複数の住戸２１を有する集合住宅であり、それぞれの住戸２１が一階空間及び二階空間を有するメゾネットタイプになっている。本実施形態では、２つの住戸２１が横並びに配置されている。図２（ａ）に示すように、一階部分１４においては、各住戸２１がリビング２３、キッチン２４及び玄関２５をそれぞれ有しており、図２（ｂ）に示すように、二階部分１５においては、各住戸２１が第１洋室２７、第２洋室２８及び収納室２９を有している。第１洋室２７及び第２洋室２８は、寝室や子供部屋等として使用可能になっており、収納室２９はウォークインクローゼット等として使用可能になっている。
【００３４】
図２（ａ）に示すように、各住戸２１の玄関２５は、建物１０の外壁３１に形成された玄関口３２をそれぞれ有している。玄関口３２には、開き戸等の玄関ドアが設けられている。図１、図２（ｂ）に示すように、建物１０は、各住戸２１の玄関口３２に掛け渡された状態で設けられた庇部３３を有している。庇部３３は、外壁３１から屋外側に向けて延びており、各住戸２１の境界部（界壁）を左右に跨いだ状態で設けられている。この場合、玄関口３２ごとに個別に庇部３３が設けられているのではなく、１つの庇部３３が各玄関口３２に対して設けられていることになる。なお、外壁３１においては、互いに交差する方向に延びる壁部が建物１０の外周面に沿って並べられており、これら壁部のうち庇部３３（玄関口３２）が設けられた壁部が外壁部に相当する。
【００３５】
庇部３３の構成について、図３、図４を参照しつつ説明する。図３、図４は庇部３３周面の縦断面図である。なお、図３は図２（ｂ）のＡ−Ａ線断面図であり、図４（ａ）は図２（ｂ）のＢ−Ｂ線断面図であり、図４（ｂ）は図２（ｂ）のＣ−Ｃ線断面図である。
【００３６】
図３に示すように、建物１０は、基礎１１の上に立設された一階壁枠３５と、この一階壁枠３５の上に設けられた二階床部１５ａと、二階床部１５ａの上に立設された二階壁枠３６とを有している。二階床部１５ａは、合板等の床下地材やフローリング材等の床仕上材といった床面材３８と、床面材３８を支持する床下地３９とを有しており、床面材３８は床下地３９の上に横並びに複数設けられている。
【００３７】
一階壁枠３５及び二階壁枠３６は、上枠部、下枠部及び縦枠部をそれぞれ有しており、これら枠部が連結されることで形成されている。これら壁枠３５，３６には、合板等の壁構造板４３が取り付けられており、この壁構造板４３は、上枠部と下枠部とに掛け渡された状態で設けられている。外壁３１は、壁枠３５，３６及び壁構造板４３を有していることで耐力壁等の構造壁になっている。なお、間仕切壁についても、壁枠３５，３６及び壁構造板４３を有していれば構造壁になっている。
【００３８】
外壁３１は、壁枠３５，３６の屋外側に設けられた外壁パネル４５と、外壁パネル４５の屋内側面に沿って延びた外壁断熱層４６とを有している。外壁パネル４５は、窯業系サイディングボード等の外壁面材４８と、この外壁面材４８を支持する面材下地４９とを有しており、面材下地４９が壁枠３５，３６に取り付けられている。外壁断熱層４６は、ウレタンフォーム等の発泡系断熱材や木材等により板状に形成されており、ある程度の形状保持力を有していることで、面材下地４９と共に外壁下地部を形成している。外壁断熱層４６は、外壁パネル４５と壁枠３５，３６との間に設けられた壁側断熱部４６ａと、床下地３９と庇部３３との間に設けられた床側断熱部４６ｂとを有している。床側断熱部４６ｂは、木材により形成されており、床下地３９と庇部３３との間に挟まった状態になっている。なお、床側断熱部４６ｂを形成する木材が外壁下地材に相当する。
【００３９】
図３、図４（ａ）に示すように、庇部３３は、外壁３１から側方に向けて延びた庇本体５１と、庇本体５１から上方に向けて延びたパラペット５２とを有している。パラペット５２は、庇本体５１の周縁部に沿って延びており、庇本体５１の屋根面（上面）の四方がパラペット５２及び外壁３１により囲まれた状態になっている。パラペット５２は、外壁３１から遠ざかる向きに延びた一対の延出部分５２ａと、これら延出部分５２ａを連結した連結部分５２ｂとを有しており、平面視略コ字状に形成されている。
【００４０】
庇部３３においては、庇本体５１がパラペット５２に対して下方に凹んだような形状になっており、庇本体５１の上面に溜まった雨水等が庇部３３の周縁部からまとめて流れ落ちるということを防止できる。このため、住人等が庇部３３の下方位置に出入りする際に身体が濡れやすくなることや、庇部３３の周縁部から流れ落ちた水の勢いで地面が凹んだり水が上方に跳ね返ったりすることを抑制できる。
【００４１】
パラペット５２の上端部には笠木５３が取り付けられている。笠木５３は、断面略コ字状に形成されており、溝部を下方に向けてパラペット５２の上端部に沿って延びている。この場合、パラペット５２の上端部が笠木５３の溝部内に下方から入り込んだ状態になっており、パラペット５２の上端部が雨水等で濡れないようになっている。
【００４２】
庇本体５１には、雨水等を排出する排水口５５が設けられており、この排水口５５には樋５６が接続されている。庇本体５１には、上下に貫通する排水孔が形成されており、樋５６はこの排水孔に挿通されている。この場合、排水孔の上端部が排水口５５を形成している。
【００４３】
庇本体５１の上面は、排水口５５の周囲が最も低い位置になるように水勾配を有しており、庇本体５１の上に溜まった水は排水口５５に向けて流れ、排水口５５から樋５６に排出されるようになっている。排水口５５は、外壁３１寄りの位置に配置されており、樋５６は排水口５５から下方に向けて外壁３１に沿って延びている。この場合、庇部３３の下方において樋５６を極力目立たないように設置できる。これに対して、例えば、排水口５５が庇部３３の自由端寄りの位置に配置された構成では、樋５６を庇部３３の下面に沿って外壁３１から遠ざかる方向に延ばす必要があるため、樋５６が目立ちやすくなってしまう。
【００４４】
庇部３３においては、庇本体５１及びパラペット５２の下側に天井面材５８が設けられている。天井面材５８は、防水性を有する板材により形成されており、野縁５９を介して庇本体５１やパラペット５２に取り付けられている。
【００４５】
図４（ｂ）に示すように、床下地３９は、外壁３１を貫通して庇部３３に向けて突出した床梁６１を有している。床梁６１は、複数の軽量溝形鋼を組み合わせることで、全体として矩形筒状に形成されている。具体的には、互いの溝部が向き合っている一対のリップ付き溝形鋼と、これらリップ付き溝形鋼を挟んで配置された上下一対のリップ無し溝形鋼とを有しており、各リップ付き溝形鋼は、各リップ無し溝形鋼の溝部内に入り込んだ状態でこれらリップ無し溝形鋼に固定されている。床梁６１は、外壁３１から屋外側に持ち出された持ち出し梁に相当し、床梁６１においては、外壁３１から庇部３３側に突出した屋外部分が庇部３３のパラペット５２に含まれている。床梁６１の高さ寸法は庇本体５１の高さ寸法よりも大きくなっており、床梁６１が庇本体５１よりも上方に延びた状態になっている。
【００４６】
次に、二階床部１５ａ及び庇部３３の構成について、図５〜図７を参照しつつ説明する。図５は床パネル６２及び庇パネル６５の配置を示す概略図、図６は床パネル６２及び庇パネル６５の構成を示す平面図、図７は庇部３３周辺の内部構造を示す斜視図である。なお、図５においては、（ａ）に二階部分１５全体の図を示し、（ｂ）に庇部３３周辺の分解図を示す。図６においては、床面材３８の図示を省略している。
【００４７】
図５（ａ），（ｂ）に示すように、二階床部１５ａは、横並びに配置された複数の床パネル６２を有している。床パネル６２は、床面材３８（図３参照）と、床下地３９を構成する床枠６３（図６参照）とを有している。床面材３８は矩形状に形成され、床枠６３は矩形枠状に形成されており、床面材３８が床枠６３の上に重ねられることで床パネル６２は全体として矩形状に形成されている。複数の床パネル６２には、床枠６３が床梁６１を有する第１床パネル６２Ａと、床枠６３が床梁６１を有していない第２床パネル６２Ｂとが含まれている。この場合、第１床パネル６２Ａが梁有り床パネルに相当し、第２床パネル６２Ｂが梁無し床パネルに相当する。
【００４８】
第２床パネル６２Ｂは、庇部３３の幅方向において外壁３１に沿って複数並べられており、これら第２床パネル６２Ｂは、いずれも外壁３１を挟んで庇部３３に隣り合う位置に配置されている。第１床パネル６２Ａは、庇部３３の幅方向において、各第２床パネル６２Ｂが設置された領域の両側方のそれぞれに配置されている。この場合、一対の第１床パネル６２Ａの間に複数の第２床パネル６２Ｂが配置されていることになる。
【００４９】
一対の第１床パネル６２Ａにおいては、第２床パネル６２Ｂ側の端部から床梁６１が屋外側に向けてそれぞれ突出しており、この突出部分に対しては床面材３８が取り付けられていない。
【００５０】
一対の第１床パネル６２Ａの各床梁６１を一対の床梁６１と称すれば、庇部３３は、一対の床梁６１の間に配置された庇パネル６５と、外壁３１よりも屋外側において一対の床梁６１の各自由端を連結した屋外梁６６とを有しており、庇パネル６５は、一対の床梁６１に掛け渡された状態になっている。庇パネル６５は、庇部３３の延出方向において、第２床パネル６２Ｂと屋外梁６６との間に配置されており、床梁６１、屋外梁６６（第１床パネル６２Ａ）及び第２床パネル６２Ｂのそれぞれに対してビス等により固定されている。ここで、庇パネル６５及び各第２床パネル６２Ｂが一対の床梁６１の間に配置されていることに起因して、庇パネル６５の幅寸法は、各第２床パネル６２Ｂが設置された領域の幅寸法に同じになっている。このため、建物１０を構築する前の設計段階において、庇パネル６５の幅寸法を容易に設定することができる。
【００５１】
図６に示すように、第１床パネル６２Ａ及び第２床パネル６２Ｂの各床枠６３は、外壁３１の壁幅方向（庇部３３の幅方向）に延びた一対の端根太６３ａと、一対の端根太６３ａを連結した連結根太６３ｂとを有している。連結根太６３ｂは、端根太６３ａの長手方向に所定間隔で複数並べられており、床枠６３は、全体として矩形枠状に形成されている。端根太６３ａはリップ無し溝形鋼により形成され、連結根太６３ｂはリップ付き溝形鋼により形成されている。床枠６３においては、一対の端根太６３ａが互いの溝部を向い合せて配置されており、連結根太６３ｂの端部が各端根太６３ａの溝部内に入り込んだ状態になっている。連結根太６３ｂの並び方向において隣り合う床パネル６２においては、これら床パネル６２の境界部を跨いで隣接する連結根太６３ｂがビス等により互いに固定されている。
【００５２】
なお、第１床パネル６２Ａ及び第２床パネル６２Ｂの各端根太６３ａ及び各連結根太６３ｂが根太部材に相当し、特に、第２床パネル６２Ｂの端根太６３ａ及び連結根太６３ｂは床根太に相当する。
【００５３】
第１床パネル６２Ａの床枠６３においては、複数の連結根太６３ｂのうち、第２床パネル６２Ｂ側の端部に配置されたものが床梁６１になっており、この床梁６１については、端根太６３ａの溝部内に入り込んでいるのではなく、端根太６３ａの側方に配置されている。この場合、端根太６３ａの端部が床梁６１の側面部に対して固定されている。床梁６１は、一対の端根太６３ａのうち外壁３１側に配置された端根太６３ａよりも側方に突出している一方で、屋内側に配置された端根太６３ａよりも側方に突出していない。また、床梁６１は、隣接する第２床パネル６２Ｂの連結根太６３ｂにビス等により固定されている。この場合、第１床パネル６２Ａ及び第２床パネル６２Ｂにおいては、床梁６１が外壁３１と貫通して屋外側に突出している一方で、他の連結根太６３ｂ，７１ｂは外壁３１を貫通せずに屋内側に配置されている。
【００５４】
庇パネル６５は、床梁６１に対して固定された庇枠７１と、この庇枠７１の上面に対して取り付けられた合板等の庇面材７２とを有している。庇枠７１は、床パネル６２の端根太６３ａ及び連結根太６３ｂと同様に、端根太７１ａ及び連結根太７１ｂを有しており、全体として矩形枠状に形成されている。庇枠７１においては、床梁６１に隣接する連結根太７１ｂがその床梁６１にビス等により固定され、自由端側の端根太７１ａが屋外梁６６にビス等により固定されている。また、庇枠７１の端根太７１ａは、一対の床梁６１に掛け渡された状態になっており、連結根太７１ｂは庇横材に相当する。
【００５５】
庇パネル６５は、床側断熱部４６ｂを介して第２床パネル６２Ｂに対して固定されている。具体的には、庇枠７１と第２床パネル６２Ｂの床枠６３との間には外壁３１の床側断熱部４６ｂが配置されており、庇枠７１においては、基端側の端根太７１ａが床側断熱部４６ｂを介して第２床パネル６２Ｂの端根太６３ａにビス等により固定されている。この場合、床側断熱部４６ｂは、第２床パネル６２Ｂと庇パネル６５との間に挟み込まれた状態になっている。
【００５６】
図７に示すように、第１床パネル６２Ａ及び第２床パネル６２Ｂの各床枠６３においては、端根太６３ａ及び連結根太６３ｂの各上面がほぼ同じ高さ位置に配置されている。また、これら床パネル６２Ａ，６２Ｂの各床枠６３及び屋外梁６６については、それぞれの上面がほぼ同じ高さ位置に配置されている一方で、庇パネル６５の庇枠７１の上面は、床パネル６２Ａ，６２ｂ及び屋外梁６６の各上面よりも所定寸法（１５０ｍｍ程度）だけ低い位置に配置されている。この場合、床梁６１、第２床パネル６２Ｂの端根太６３ａ及び屋外梁６６が庇パネル６５の庇枠７１よりも上方に延びており、それによって、これら床梁６１、端根太６３ａ及び屋外梁６６と庇枠７１との間に段差が形成されている。
【００５７】
第１床パネル６２Ａ及び第２床パネル６２Ｂにおいて、各端根太６３ａの高さ寸法を床枠６３の高さ寸法Ｈ１，Ｈ２とした場合、屋外梁６６の高さ寸法Ｈ３は、これら高さ寸法Ｈ１，Ｈ２と同じ値（例えば２３８ｍｍ）に設定されている。ここで、第１床パネル６２Ａにおいては、複数の連結根太６３ｂのうち床梁６１だけが、端根太６３ａと同じ高さ寸法Ｈ１を有している。
【００５８】
庇パネル６５において、端根太７１ａの高さ寸法を庇枠７１の高さ寸法Ｈ４とした場合、この高さ寸法Ｈ４は、床パネル６２Ａ，６２Ｂ及び屋外梁６６の高さ寸法Ｈ１〜Ｈ３よりも小さい値（例えば９２ｍｍ）に設定されている。この場合、庇パネル６５の端根太７１ａの下面が、床パネル６２Ａ，６２Ｂの各端根太６３ａ及び屋外梁６６の各下面と同じ高さ位置に配置されている。
【００５９】
なお、端根太６３ａ，７１ａや連結根太６３ｂ，７１ｂが軽量溝形鋼により形成されていることにより、床パネル６２Ａ，６２Ｂの各床枠６３及び庇パネル６５の庇枠７１の上面や下面はほぼ平坦面になっている。
【００６０】
床パネル６２Ａ，６２Ｂ及び庇パネル６５は、端根太６３ａ，７１ａが上下方向に潰れることを防止する潰れ防止部材７５を有している。潰れ防止部材７５は、リップ付きの軽量溝形鋼であり、端根太６３ａ，７１ａの溝部内に上下方向に延びた状態で設置されている。潰れ防止部材７５は、端根太６３ａ，７１ａの上側フランジと下側フランジとの間に嵌め込まれた状態で、連結根太６３ｂ，７１ｂにビス等により固定されている。潰れ防止部材７５は、そのウェブやリップが連結根太６３ｂ，７１ｂのウェブやリップに重なった状態になっている。
【００６１】
図３、図４（ａ），（ｂ）の説明に戻り、庇部３３は、庇パネル６５、床梁６１及び屋外梁６６を覆う庇断熱層８１を有している。庇パネル６５、床梁６１及び屋外梁６６を庇部３３の骨格と称すれば、この骨格の周囲が庇断熱層８１により覆われていることになる。庇断熱層８１は、庇パネル６５を上下に挟んで対向する一対のパネル断熱部８２ａ，８２ｂと、床梁６１及び屋外梁６６を左右に挟んで対向する一対の梁断熱部８３ａ，８３ｂと、床梁６１及び屋外梁６６の上端に対して設けられた上端断熱部８４とを有している。これら断熱部８２ａ，８２ｂ，８３ａ，８３ｂ，８４は、いずれもウレタンフォーム等の発泡系断熱材により板状に形成されており、庇部３３の骨格に対して固定されている。
【００６２】
一対のパネル断熱部８２ａ，８２ｂは、庇パネル６５の上面及び下面に沿ってそれぞれ延びている。上側のパネル断熱部８２ａは、庇面材７２の上面に重ねられており、下側のパネル断熱部８２ｂは、庇枠７１の下面と床梁６１及び屋外梁６６の各下面とに掛け渡された状態になっている。
【００６３】
一対の梁断熱部８３ａ，８３ｂは、パラペット５２の外周側及び内周側のそれぞれにおいて、床梁６１及び屋外梁６６の側面に沿って延びている。外周側の梁断熱部８３ａは、断熱構造において下側のパネル断熱部８２ｂに連続しており、このパネル断熱部８２ｂから上方に向けて延びている。内周側の梁断熱部８３ｂは、断熱構造において上側のパネル断熱部８２ａに連続しており、このパネル断熱部８２ａから上方に向けて延びている。内周側の梁断熱部８３ｂについては、庇パネル６５の庇枠７１の高さ寸法Ｈ４が床梁６１の高さ寸法Ｈ１及び屋外梁６６の高さ寸法Ｈ３より小さいことに起因して、庇パネル６５の上方位置に配置することが可能になっている。また、内周側の梁断熱部８３ｂは、庇面材７２の上方位置において、パネル断熱部８２ａに横並びに配置されている。
【００６４】
上端断熱部８４は、床梁６１及び屋外梁６６の各上面に重ねられており、外周側の梁断熱部８３ａと内周側の梁断熱部８３ｂとに掛け渡された状態になっている。この場合、上端断熱部８４は、断熱構造において梁断熱部８３ａ，８３ｂのそれぞれと連続している。上端断熱部８４は、パラペット５２の上端部に含まれており、笠木５３により上方から覆われている。
【００６５】
また、庇部３３は、庇断熱層８１の上側に設けられた防水下地板８７と、防水下地板８７に重ねられた防水シート８８とを有している。防水下地板８７は、所定の耐火性能を有する不燃材により形成されており、庇部３３の凹み部分の内側面に沿って延びるように設けられている。庇部３３の凹み部分において、防水下地板８７は、上側のパネル断熱部８２ａの上面と、内周側の梁断熱部８３ｂの内周面と、床側断熱部４６ｂの内周面に重ねられている。なお、防水下地板８７は、上側のパネル断熱部８２ａと内周側の梁断熱部８３ｂ及び床側断熱部４６ｂとの間に入り込んだ状態になっている。ここで、防水下地板８７が防水性も有していることで、上側のパネル断熱部８２ａと内周側の梁断熱部８３ｂ及び床側断熱部４６ｂとが、断熱構造において連続した状態が実現されている。
【００６６】
防水シート８８は、防水性及び柔軟性を有しており、防水下地板８７と同様に、庇部３３の凹み部分の内側面に沿って延びるように設けられている。この場合、防水シート８８は、上側のパネル断熱部８２ａと内周側の梁断熱部８３ｂと床側断熱部４６ｂとに掛け渡された状態になっている。また、防水シート８８は、内周側の梁断熱部８３ｂの内周面から上端断熱部８４の上面（パラペット５２の上端面）に回り込むように延びている。このため、防水シート８８の端部が笠木５３の溝部内に入り込んだ状態になっている。
【００６７】
なお、庇部３３は小型の屋根であり、庇部３３の上面は屋根面に相当する。この場合、防水下地板８７及び防水シート８８は屋根面材に相当する。また、防水シート８８は、庇パネル６５の上側において防水層を形成している。
【００６８】
次に、建物１０の構築手順について簡単に説明する。まず、基礎１１の上に一階壁枠３５を立設し、一階壁枠３５の上に第１床パネル６２Ａや第２床パネル６２Ｂ等の床パネル６２を設置する。そして、第１床パネル６２Ａの床梁６１に対して庇パネル６５及び屋外梁６６を取り付け、庇部３３の骨格を形成する。また、床パネル６２の上に二階壁枠３６を立設し、一階壁枠３５及び二階壁枠３６に対して外壁パネル４５及び外壁断熱層４６を取り付けることで外壁３１を形成する。庇部３３の骨格に対しては、外壁断熱層４６に連続するように庇断熱層８１を取り付ける。このため、庇部３３が外壁３１から屋外側に突出した状態になっていても、建物１０の外周面において断熱層が連続した状態になっている。
【００６９】
庇部３３については、その骨格に庇断熱層８１を取り付けた後、庇パネル６５の上面と床梁６１及び屋外梁６６の各側面とに重ねるように防水下地板８７及び防水シート８８を取り付けることで、庇本体５１及びパラペット５２を形成する。そして、パラペット５２の上端部に対して笠木５３を取り付け、庇本体５１及びパラペット５２の下側に対して天井面材５８を取り付ける。
【００７０】
以上詳述した本実施形態によれば、以下の優れた効果が得られる。
【００７１】
床梁６１が建物本体１２から持ち出された状態で設けられているため、建物本体１２による床梁６１の支持強度を高めることができる。この場合、庇部３３の下方に支柱を設置する必要がないため、庇部３３周辺の意匠性が支柱の存在によって低下するということを回避できる。
【００７２】
床梁６１を有する第１床パネル６２Ａが、庇部３３の延出方向において庇パネル６５に隣り合わない位置に配置されているため、庇パネル６５に隣り合う第２床パネル６２Ｂの数を極力多く確保することができる。この場合、庇パネル６５が極力多くの床パネル６２に対して固定されているため、二階床部１５ａに対する庇部３３の固定強度を高めることができる。
【００７３】
床梁６１及び屋外梁６６が複数の軽量溝形鋼を組み合わせて形成されているため、これら床梁６１及び屋外梁６６に対して潰れ防止部材７５を取り付ける必要がない。また、床梁６１及び屋外梁６６が全体として矩形筒状に形成されているため、端根太６３ａ，７１ａや連結根太６３ｂ，７１ｂを、それぞれの外周面を床梁６１や屋外梁６６の外周面に重ねた状態で固定することができる。これにより、床梁６１や屋外梁６６に対する端根太６３ａ，７１ａや連結根太６３ｂ，７１ｂの固定強度を高めることができる。
【００７４】
パラペット５２付きの庇部３３が玄関口３２の上方に配置されているため、玄関口３２から玄関２５に出入りする住人等が庇部３３の周縁部から流れ落ちが雨水等により濡れるということを抑制できる。また、庇部３３は、隣り合う住戸２１の各玄関口３２に掛け渡されていることで大型化しているため、庇本体５１の上面に溜まる雨水等の水量が多くなりやすいと考えられる。このため、庇部３３にパラペット５２が設けられていることは、多量の雨水等が庇部３３の周縁部から流れ落ちることを抑制する上で好ましい。
【００７５】
庇部３３においては、床梁６１や屋外梁６６が庇パネル６５の庇枠７１から上方に向けて突出しているため、この突出部分を利用してパラペット５２を形成することができる。この場合、パラペット５２の骨格を構成するための専用部材を床梁６１や屋外梁６６の上に設置する必要がないため、パラペット５２の高さ寸法を極力小さくすることができる。このため、パラペット５２付きの庇部３３を構築しても、パラペット５２の分だけ庇部３３の周縁部が分厚くなったように見えるということを抑制できる。つまり、庇部３３を全体として極力薄い形状にすることで、庇部３３の意匠性を高めることができる。
【００７６】
庇部３３においては、単に床梁６１や屋外梁６６の側面に沿って防水下地板８７や防水シート８８を立ち上げることで、パラペット５２を形成することが可能になる。このため、庇本体５１及びパラペット５２に対して防水処理を容易化できる。
【００７７】
庇パネル６５に床梁６１や屋外梁６６が含まれていないため、庇枠７１のほぼ全体が高さ寸法Ｈ４を有している。例えば、庇パネル６５に床梁６１や屋外梁６６が含まれた構成では、庇枠７１の一部分だけが大きな高さ寸法Ｈ１，Ｈ３を有している（庇パネル６５の一部分だけが分厚い）ことになり、庇パネル６５を工場から建築現場に運搬する際などの作業負担が大きくなることが懸念される。これに対して、本実施形態では、庇パネル６５の一部分だけが分厚くなるということがないため、庇パネル６５を運搬する際の作業負担を低減できる。
【００７８】
床梁６１が第１床パネル６２Ａに含まれているため、第１床パネル６２Ａを設置することが床梁６１を設置することになる。このため、例えば床梁６１が床パネル６２から独立した状態で製造された場合に比べて、床梁６１及び床パネル６２を設置する際の作業負担を低減できる。しかも、第１床パネル６２Ａは、床梁６１を有していることに起因して、第２床パネル６２Ｂとは形状が明らかに異なっているため、作業者が第１床パネル６２Ａの設置位置を間違えるということを抑制できる。
【００７９】
第２床パネル６２Ｂの床枠６３の高さ寸法Ｈ２が床梁６１の高さ寸法Ｈ１と同じであるため、庇本体５１からのパラペット５２の立ち上がり寸法を、庇本体５１からの二階床部１５ａの立ち上がり寸法に合わせることができる。このため、庇本体５１の上に溜まった水が庇部３３の周縁部から流れ落ちること及び庇部３３の意匠性が低下することの両方を抑制する上で、パラペット５２の立ち上がり寸法を適正に設定することができる。
【００８０】
二階床部１５ａにおいては、一対の床梁６１の間が複数の第２床パネル６２Ｂの設置領域にされ、庇部３３においては、一対の床梁６１の間が庇パネル６５の設置領域にされているため、建物１０を構築する際の設計段階において、各第２床パネル６２Ｂの幅寸法と庇パネル６５の幅寸法とを容易に設定することができる。これに対して、例えば、第１床パネル６２Ａが庇部３３の延出方向において庇パネル６５に隣り合う位置に配置された構成では、二階床部１５ａにおいて一対の第１床パネル６２Ａの間の離間距離が、庇部３３において一対の床梁６１の間の離間距離よりも小さくなる。この場合、第２床パネル６２Ｂの幅寸法と庇パネル６５の幅寸法とを個別に設定する必要が生じるため、設計負担が大きくなることが懸念される。
【００８１】
［他の実施形態］
本発明は上記実施形態の記載内容に限定されず、例えば次のように実施されてもよい。
【００８２】
（１）上記実施形態では、庇パネル６５の庇枠７１の高さ寸法Ｈ４が第１床パネル６２Ａ（床梁６１）や第２床パネル６２Ｂ、屋外梁６６の高さ寸法Ｈ１〜Ｈ３よりも小さくされていたが、庇枠７１の高さ寸法Ｈ４は高さ寸法Ｈ１〜Ｈ３と同じ又はそれよりも大きくされていてもよい。この場合でも、庇枠７１の上面が床パネル６２Ａ，６２Ｂの各床枠６３の上面や屋外梁６６の上面よりも低い位置に配置されていれば、床パネル６２Ａ，６２Ｂの各床枠６３や屋外梁６６が庇枠７１よりも上方に突出した構成を実現できる。つまり、床梁６１が庇枠７１よりも上方に突出した構成を実現できる。
【００８３】
（２）上記実施形態では、庇部３３の骨格が庇断熱層８１により屋外側から覆われていたが、庇断熱層８１は、庇部３３の骨格のうち少なくとも床梁６１を屋外側から覆っていればよい。例えば、庇断熱層８１が梁断熱部８３ａ，８３ｂ及び上端断熱部８４を有している一方で、パネル断熱部８２ａ，８２ｂを有していない構成とする。この構成でも、庇パネル６５と第２床パネル６２Ｂとの間に床側断熱部４６ｂが設けられていることに起因して、庇パネル６５の骨格を通じて屋外側と屋内側とで熱の伝達が行われることが抑制される。
【００８４】
（３）上記実施形態では、庇パネル６５の庇枠７１と第２床パネル６２Ｂの床枠６３との間に外壁断熱層４６が設けられていたが、これら庇枠７１と床枠６３との間には、外壁断熱層４６が設けられていなくてもよい。例えば、庇枠７１と床枠６３との間に、断熱性能の低い外壁下地材や防水シートが設けられた構成とする。この構成でも、庇部３３の骨格が庇断熱層８１により屋外側から覆われていることにより、建物本体１２の断熱性が低下することを抑制できる。
【００８５】
（４）上記実施形態では、庇部３３の防水層が防水シート８８により形成されていたが、防水層は、鋼材に防水皮膜が付与された防水板により形成されていてもよい。例えば、防水下地板８７及び防水シート８８に代えて防水板が設けられた構成とする。この構成では、防水下地板８７を設けなくても防水板により庇部３３の屋根面の強度を適正に確保することができる。このため、庇部３３のメンテナンス等が行われる際に作業者が庇部３３の屋根面に荷重を加えたとしても、防水層が破れたり切れたりすることや、庇断熱層８１が局所的に変形することを抑制できる。
【００８６】
（５）上記実施形態では、庇部３３において、端根太７１ａと連結根太７１ｂとが床パネル６２として床梁６１や屋外梁６６に対してまとめて固定されていたが、端根太７１ａや連結根太７１ｂは、床梁６１や屋外梁６６に対して個別に固定されていてもよい。例えば、複数の連結根太７１ｂが屋外梁６６に対して直接的に固定され、これら連結根太７１ｂに掛け渡すように端根太７１ａが設けられ、この端根太７１ａが第２床パネル６２Ｂの床枠６３に対して固定された構成とする。この構成でも、端根太７１ａ及び連結根太７１ｂの上面を床梁６１や屋外梁６６の上面よりも低い位置に配置することができる。
【００８７】
（６）庇部３３においては、庇パネル６５が床梁６１や屋外梁６６に沿って横並びに複数設けられていてもよい。特に、屋外梁６６に沿って複数の庇パネル６５が並べられた構成では、１つの庇パネル６５が一対の床梁６１に掛け渡された状態にならない。この場合、各庇パネル６５は、屋外梁６６に対して固定されていることで庇部３３の骨格により適正に支持されている。
【００８８】
（７）上記実施形態では、床梁６１を有する第１床パネル６２Ａが、庇部３３に対してその庇部３３の幅方向にずれた位置に配置されていたが、第１床パネル６２Ａは、庇部３３の延出方向においてその庇部３３に隣り合う位置に配置されていてもよい。この構成では、庇パネル６５の端根太７１ａが外壁断熱層４６を介して第１床パネル６２Ａの端根太６３ａに対して固定されている。この場合、第１床パネル６２Ａにおいては、床梁６１に加えて端根太６３ａに対して庇パネル６５が固定されているため、第１床パネル６２Ａに対する庇パネル６５の固定強度を高めることができる。
【００８９】
また、１つの第１床パネル６２Ａが複数の床梁６１を有していてもよい。例えば、１つの第１床パネル６２Ａが一対の床梁６１を有しており、庇パネル６５が、これら床梁６１の間に配置されることで第１床パネル６２Ａに横並びに配置された構成とする。
【００９０】
（８）上記実施形態では、二階床部１５ａには、床梁６１を有する第１床パネル６２Ａが設けられていたが、床梁６１を有する第１床パネル６２Ａは設けられていなくてもよい。例えば、床パネル６２とは独立して製造された床梁６１が外壁３１を屋内外に貫通した状態で設けられた構成とする。この構成の床梁６１は、二階床部１５ａにおいて隣り合う床パネル６２の間に配置されおり、これら床パネル６２のそれぞれに対して固定されている。この構成でも、建物本体１２から持ち出された状態で床梁６１を設置することができる。
【００９１】
（９）上記実施形態では、床パネル６２及び庇パネル６５が、それぞれの端根太６３ａ，７１ａが庇部３３の幅方向に延びる向きで配置されていたが、これらパネル６２，６５は、連結根太６３ｂ，７１ｂが庇部３３の幅方向に延びる向きで配置されていてもよい。例えば、庇パネル６５の連結根太７１ｂが庇部３３の幅方向に沿って延び、この連結根太７１ｂが第２床パネル６２Ｂの端根太６３ａに対して固定された構成とする。
【００９２】
（１０）上記実施形態では、庇パネル６５が床梁６１及び屋外梁６６に対して固定されていたが、庇パネル６５が床梁６１や屋外梁６６を有していてもよい。例えば、庇パネル６５において、複数の連結根太７１ｂのいずれかが床梁６１とされた構成では、床梁６１が床パネル６２に固定されることで庇パネル６５が床パネル６２に対して固定されることになる。また、庇パネル６５において、端根太７１ａが屋外梁６６とされた構成では、屋外梁６６が床梁６１に固定されることで庇パネル６５が床梁６１に対して固定されることになる。
【００９３】
（１１）上記実施形態では、庇部３３が玄関口３２の上方に設けられていたが、庇部３３は、勝手口や窓部などの上方に設けられていてもよい。つまり、庇部３３は、外壁３１に形成された開口部の上方に設けられていればよい。また、３つ以上の住戸２１を有する集合住宅においては、庇部３３が３つ以上の住戸２１に掛け渡された状態で設けられていてもよい。
【００９４】
（１２）上記実施形態では、集合住宅において、庇部３３が隣り合う住戸２１の各玄関口３２に掛け渡された状態で設けられていたが、庇部３３は、集合住宅の共用部分に対して設けられていてもよい。例えば、集合住宅の一階部分１４が、各住戸２１に通じる共用通路と、この共用通路に通じる共用出入口とを有しており、庇部３３が共用出入口の上方位置に配置された構成とする。
【００９５】
（１３）上記実施形態では、集合住宅である建物１０に庇部３３が設けられていたが、庇部３３は、一戸建ての住宅に設けられていてもよい。
【００９６】
（１４）上記実施形態では、庇部３３が二階建て建物の二階部分１５に設けられていたが、この庇部３３は、複数階建て建物の上階部に設けられていればよい。例えば、二階部分に玄関口３２が設けられた二世帯住宅において、庇部３３が三階部分の床部の側方に設けられた構成とする。
【００９７】
また、庇部３３は、枠組壁工法により構築された建物１０ではなく、鉄骨軸組工法により構築された建物やユニット式建物に設けられていてもよい。いずれの場合でも、建物本体１２から持ち出された状態で床梁６１が設けられていれば、この床梁６１により庇部３３を好適に支持できる。
【符号の説明】
【００９８】
１０…建物、１５ａ…二階床部、２１…住戸、３１…外壁部を有する外壁、３２…玄関口、３３…庇部、３８…床面材、４６ｂ…断熱部材としての床側断熱部、６１…床梁、６２…床パネル、６２Ａ…梁有り床パネルとしての第１床パネル、６２Ｂ…梁無し床パネルとしての第２床パネル、６３ａ…根太部材としての端根太、６３ｂ…根太部材としての連結根太、６５…庇パネル、６６…屋外梁、７１ｂ…庇横材としての連結根太、７２…庇面材、８７…屋根面材を構成する防水下地板、８８…屋根面材を構成する防水シート。
【図１】
0006435211.tif 000002
【図２】
0006435211.tif 000003
【図３】
0006435211.tif 000004
【図４】
0006435211.tif 000005
【図５】
0006435211.tif 000006
【図６】
0006435211.tif 000007
【図７】
0006435211.tif 000008